(57)【特許請求の範囲】
【請求項１】
外枠の前面に取り付けられた前面部と、
該前面部の前面の一側に遊技者側に向けて突き出し看板状に突設される表示部と、を備えており、
前記表示部は、
内部に表示シートを納め得るシート受部を備えると共に上向きに開口する差込み口から該シート受部に前記表示シートを差し込み得るようにした表示部本体と、
前記表示部本体の上面に被さって前記差込み口を塞ぐ蓋部と、を有する遊技機において、
前記表示部本体は、自己の内部に装飾用の発光手段を設けると共に自己の上面にレール状の摺動ガイド部を突設してなり、
一方、前記蓋部は、カバー部の底部に底開口を設けると共に該底開口を前記摺動ガイド部に遊嵌させることによって該摺動ガイド部で摺動案内されるようになし、
さらに前記摺動ガイド部は、透光性を有する合成樹脂で形成して前記表示部本体の前記発光手段の光が該摺動ガイド部を介して前記蓋部の前記カバー部内に導入されるようにしたものであることを特徴とする遊技機。
【発明の詳細な説明】
【技術分野】
【０００１】
本発明は、パチンコ機やスロットマシン等の遊技機に関する。
【背景技術】
【０００２】
特許文献１に記載された従来の遊技機１００は、図１２に示したように、四角い枠状の外枠１０１と、その外枠１０１の前面に片開きの扉状に回動可能に取り付けられた前枠１０２と、その前枠１０２の前面上半部に開閉自在に取り付けられたガラス扉１０３と、同じく前枠１０２の前面下半部に開閉自在に取り付けられた前面扉１０４と、前記ガラス扉１０３と前面扉１０４の前面右端に遊技者側に向けて突き出し看板状に突設された右辺ユニット１０５と、ガラス扉１０３の前面上端に突設された上辺ユニット１０６と、を備えている。
かかる遊技機１００の前記右辺ユニット１０５は、全体の大部分を占める表示部本体１０７と、その表示部本体１０７の上部に設けた蓋部１０８とから概略形成されている。
この右辺ユニット１０５の前記表示部本体１０７は、前後の幅に比べて左右の幅が格段に小さいスリムな箱状であって、透光性樹脂材料による表示シートを納めるシート受部を備えると共に、上面に前記シート受部に通じる差込み口１０９が開設されており、該差込み口１０９からシート受部に表示シートを差し込み得る。
一方、前記蓋部１０８は、表示部本体１０７の差込み口１０９を塞ぐものであり、表示部本体１０７の遊技者側の端部に回動自在に軸着されている。
そして、前記表示シートには、例えば遊技機１００や遊技内容に関連する情報（機種名、遊技内容に関連するキャラクター等）が描かれており、シート受部に収められたセット状態で、その内容が右辺ユニット１０５の左右両面又はその何れかの面から視認し得るようになっている。
【先行技術文献】
【特許文献】
【０００３】
【特許文献１】特開２０１３−２２０２０８号公報
【発明の概要】
【発明が解決しようとする課題】
【０００４】
右辺ユニット１０５の装飾性を高める手段として蓋部１０８にも電飾を施すことが有効である。
しかし、電飾を実施するための照明基板や発光体等の発光手段を蓋部１０８に組み込むことは、蓋部１０８が大型化し当然重量も嵩むため、開閉操作の作業性に悪影響を及ぼしかねず、また、表示部本体側との電気的配線も必要になるため、開閉操作に起因する断線がメンテナンス上のリスクになる。
【０００５】
本発明は上記に鑑みなされたもので、その目的は、遊技者に向けて突き出し看板状に突設される蓋部付きの表示部について、蓋部の大型化、高重量化を来すことなく電飾が施せる遊技機を提供することにある。
【課題を解決するための手段】
【０００６】
［技術手段１］
上記の目的を達成するため本発明は、
外枠の前面に取り付けられた前面部と、
該前面部の前面の一側に遊技者側に向けて突き出し看板状に突設される表示部と、を備えており、
前記表示部は、
内部に表示シートを納め得るシート受部を備えると共に上向きに開口する差込み口から該シート受部に前記表示シートを差し込み得るようにした表示部本体と、
前記表示部本体の上面に被さって前記差込み口を塞ぐ蓋部と、を有する遊技機において、
前記表示部本体は、自己の内部に装飾用の発光手段を設けると共に自己の上面にレール状の摺動ガイド部を突設してなり、
一方、前記蓋部は、カバー部の底部に底開口を設けると共に該底開口を前記摺動ガイド部に遊嵌させることによって該摺動ガイド部で摺動案内されるようになし、
さらに前記摺動ガイド部は、透光性を有する合成樹脂で形成して前記表示部本体の前記発光手段の光が該摺動ガイド部を介して前記蓋部の前記カバー部内に導入されるようにした遊技機を提供する。
【０００７】
かかる遊技機は、透光性を有する摺動ガイド部を介して表示部本体内の発光手段を光源とする光が蓋部内に導入され、その光で蓋部のカバー部が照らされる。特に、摺動ガイド部は、蓋部の摺動を案内するものであって蓋部内を縦貫しているため、豊富な光量を得ることができる。よって、蓋部内に照明基板や発光体等の発光手段を設けることなく蓋部の電飾化が可能になり、したがって、蓋部を電飾化することによる大型化や高重量化のおそれがない。
また、表示部本体と蓋部を配線で繋ぐ必要もないため、断線のおそれがないことはもちろん、蓋部を着脱可能な構造にすることも容易である。
【０００８】
［技術手段２］
また、請求項１の遊技機は、前記表示部本体の内部に前記発光手段の光を前記シート受部内に拡散させる光拡散板を備えると共に該光拡散板の上部に前記摺動ガイド部を連設するようにしてもよい。
かかる遊技機は、表示部本体の発光手段の光を、光拡散板から摺動ガイド部を介して蓋部内に確実に導入することができ、また、光拡散板に摺動ガイド部が連設されているため、取扱いも容易になる。
【発明の効果】
【０００９】
本発明の遊技機によれば、遊技者に向けて突き出し看板状に突設される蓋部付きの表示部について、蓋部の大型化、高重量化を来すことなく電飾が施せる効果がある。
【図面の簡単な説明】
【００１０】
【図１】遊技機の正面図である。
【図２】遊技機の前面部の斜視図である。
【図３】遊技機の前面部の側面図である。
【図４Ａ】表示部を示す縦断側面図である。
【図４Ｂ】表示部の反射凹部を省略した状態を示す縦断側面図である。
【図４Ｃ】図４ＡのＺ部の拡大図である。
【図５】表示部を示す縦断正面図である。
【図６】蓋部の後面側から見た斜視図である。
【図７】蓋部を開位置に移動させた状態を示す表示部の斜視図である。
【図８】蓋部を開位置に移動させた状態を示す表示部の側面図である。
【図９】蓋部を開位置に移動させた状態を示す表示部の縦断正面図である。
【図１０】（ａ）は光拡散板の一部拡大側面図、（ｂ）は図１０（ａ）のＡ−Ａ線断面図である。
【図１１】（ａ）は左側部用表示シートの表示内容を省略した表面図、（ｂ）は右側部用表示シートの表示内容を省略した表面図である。
【図１２】従来の遊技機を示す斜視図である。
【発明を実施するための形態】
【００１１】
以下に本発明の実施の形態をパチンコ機を例に図面を参照しつつ説明する。
パチンコ機Ｐは、四角い枠状の外枠１と、その外枠１の前面に片開きの扉状に回動可能に取り付けられた本体部２（特許文献１の「前枠」相当）と、その本体部２の前面に開閉自在に取り付けられた前面部３（特許文献１の「ガラス扉」と「前面扉」に相当）と、該前面部３の前面右端に遊技者側に向けて突き出し看板状に突設された表示部４（特許文献１の「右辺ユニット」に相当）と、を備えている。
【００１２】
［外枠］
前記外枠１は、木製又は合成樹脂製であって四角く枠組みされており、遊技場の島設備に取り付けられる。
【００１３】
［本体部］
前記本体部２は、外枠１の前面に片開きの扉状に回動可能に取り付けられており、図１に示したように、ガイドレール５で略円形に囲われた遊技領域６を有する遊技盤７がその前面に着脱自在に装着され、さらに、図示しないが、画像表示装置や演出装置等を制御する制御基板、前記遊技領域６に遊技媒体たるパチンコ球を打ち込む打球発射装置、パチンコ球を入賞の景品として放出するための景品球放出手段等を備えている。なお、景品球放出手段は、周知のように本体部２の後面側に設けられており、上から順に、パチンコ球を溜める球タンク、その球タンクに連結された導出樋、その導出樋の終端に連結された景品球放出装置、その景品球放出装置に連結された排出樋、等からなる。
【００１４】
［前面部］
前記前面部３は、本体部２と同じく外枠１に対して片開きの扉状に取り付けられており、該本体部２の前面を覆う閉状態と、本体部２の前面を露出させる開状態とに回動し得る。
前面部３は、遊技盤７の遊技領域６に対応する位置にガラスや合成樹脂等の透明板８で覆われた窓部９を有しており、該窓部９を介して遊技盤７の遊技領域６が見える。前面部３には、かかる窓部９の上部と両横の三方を囲うように、照明等を備えた左辺装飾部１０と上辺装飾部１１と右辺装飾部１２が設けられている。
【００１５】
前面部３の窓部９より下側には、図１〜図３に示したように、前記景品球放出手段で放出されるパチンコ球を受け入れる上の球皿１３と、該球皿１３の前面から前面部３の下辺に至る領域を占有するように遊技者用の入力操作部（ボタンスイッチ）１４が設けられ、また、その入力操作部１４を挟んで正面向かって左半部に前記上の球皿１３からオーバーフローするパチンコ球を受け入れる下の球皿１５が設けられ、反対の右半部にパチンコ球の打球強さを調節するための打力調節装置（操作ハンドル）１６が設けられている。
なお、このように上の球皿１３の前面から前面部３の下辺に至る領域を占有するように入力操作部１４を設けると共にその両隣に、オーバーフローするパチンコ球を受け入れる下の球皿１５と打力調節装置１６をそれぞれ配置することにより、入力操作部１４を最大限に大きく且つ操作可能範囲を下方にまで拡大することができるため、腕の上げ下げが難儀になりつつある高齢の遊技者にも無理なく入力操作を行わせることができる。
また、前面部３には、前記閉状態にロックする錠装置１７が設けられていて、専用の鍵で解錠して開き、閉じると自動的に施錠されるようになっている。
【００１６】
［表示部］
前記表示部４は、図２の斜視図に示したように、前面部３の前記右辺装飾部１２を取り付けベースとして該右辺装飾部１２から遊技者側に向けて突き出し看板状に突設されており、全体の大部分を占める表示部本体１８と、その表示部本体１８の上部に被せた蓋部１９とから概略構成されている。
【００１７】
［表示部本体］
前記表示部本体１８は、側面形状が、下底（台形の底辺）を垂直方向に向けた横向き略台形であって、上面に遊技者側に向けて下る勾配の傾斜が設けられている。該表示部本体１８は、前後の幅（奥行き）に比べて左右の幅（厚み）が格段に小さいスリムな箱状であって、遊技者側から見た左側部１８Ｌと右側部１８Ｒのそれぞれに、図４Ａ、図４Ｂに示したように、後述する表示シート２０Ｌ，２０Ｒを収めるシート受部２１Ｌ，２１Ｒが内向きのリブ２２，２２によって形成され、また、傾斜した前記上面に該シート受部２１Ｌ，２１Ｒに通じる差込み口２３，２３が開設されている。左右のシート受部２１Ｌ，２１Ｒは、図４Ａ、図５、図１０に示したように、左側部１８Ｌと右側部１８Ｒの間に設けられた透明な合成樹脂製の光拡散板２４により仕切られており、したがって前記差込み口２３，２３も左右に分かれている。
また、表示部本体１８の前記左側部１８Ｌと右側部１８Ｒのそれぞれには前記シート受部２１Ｌ，２１Ｒに対応する透明な表示窓２５，２５が形成されており、該表示窓２５，２５を介して前記シート受部２１Ｌ，２１Ｒの内部が外部から見えるようになっている。
【００１８】
［光拡散板］
前記光拡散板２４は、透明な合成樹脂による樹脂成形品であり、左面２４Ｌと右面２４Ｒのそれぞれに図１０（ａ），（ｂ）に一部を拡大して示したように、多数の拡散凹部２６，２６…が整列配置されている。具体的には、該拡散凹部２６，２６…が、左面２４Ｌに対して碁盤の目の交差相当位置に整列配置され、一方、右面２４Ｒに対して同じ碁盤の目の中央相当位置に整列配置されている。したがって左面２４Ｌの拡散凹部２６，２６…と右面２４Ｒの拡散凹部２６，２６…は位置的に重ならない。これにより、例えば右面２４Ｒの拡散凹部２６，２６…に当たって左面２４Ｌ側に反射する光が、左面２４Ｌの拡散凹部２６，２６…同士の間からダイレクトに抜けるため、光の斑を少なくすることができる。
【００１９】
前記表示部本体１８の内部には、光拡散板２４の後方端面に対応させて、照明基板２７にＬＥＤ等の発光体２８を設けた発光手段２９が設置されており、該発光手段２９の光が光拡散板２４の内部を通って拡散凹部２６，２６…で拡散され、そうして光拡散板２４の左面２４Ｌと右面２４Ｒがほぼ同じ明るさで均等に光る。もっともその光は、各拡散凹部２６，２６…を明るさの中心にして例え僅かであっても斑が生じ得るため、僅かな斑を防ぐべく光拡散板２４の左面２４Ｌと右面２４Ｒに、前記表示窓２５，２５とほぼ相似形でそれより一回り小さいスペーサー３０，３０がリブ状に突設されている。そうすることにより、光拡散板２４と表示シート２０Ｌ，２０Ｒとの間に適度な間隔が保たれるため、光拡散板２４から発せられる光が表示シート２０Ｌ，２０Ｒにソフトに当たる。よって表示シート２０Ｌ，２０Ｒに光の斑が生じにくい。
【００２０】
また、光拡散板２４には、摺動ガイド部４０の傾斜する上端面にも、水平面と垂直面が直交する直角三角を階段状に並べた拡散段部３１が形成されており、この拡散段部３１によって上部方向への前記発光手段２９の光の拡散が促進される。そのため、後述するように、カバー部３５の透光部３４を通して蓋部１９の上面、すなわち表示部４の上面も明るく光る。なお、この拡散段部３１は、光拡散板２４の傾斜する下端面にも同様に形成されており、したがって表示部本体１８の下面、すなわち表示部４の下面も明るく光る。
【００２１】
［表示シート］
前記表示シート２０Ｌ，２０Ｒは、透光性樹脂の薄いシートを、図１１（ａ），（ｂ）のように前記シート受部２１に整合する形状に加工したものであり、同図に示した表面に、図示を省略したがパチンコ機Ｐや遊技内容に関連する情報（機種名、遊技内容に関連するキャラクター等）が描かれている。また、この表示シート２０Ｌ，２０Ｒには、上部後方にシート受部２１Ｌ，２１Ｒへの出し入れを容易にするべく摘み片３２が形成されている。
【００２２】
なお、表示シート２０Ｌ，２０Ｒに描かれる情報は、左側部１８Ｌ用と右側部１８Ｒ用で統一してもよいが、好ましくは表示対象者に合わせて異ならせるのがよい。例えば、左側部１８Ｌ用の表示シート２０Ｌの表示対象者は、本パチンコ機Ｐを選択して現に遊技を行っている遊技者であり、一方、右側部１８Ｒ用の表示シート２０の表示対象者は、隣の別機種で遊技する遊技者或は機種選択のため島間の通路を行き来する遊技客であるから、左側部１８Ｌ用の表示シート２０Ｌには遊技内容に関連するキャラクターを描き、右側部１８Ｒ用の表示シート２０Ｒには機種宣伝用に機種名を表示する、という具合である。
実施形態では、それぞれの表示シート２０Ｌ，２０Ｒの表示内容が異なる場合の入れ違いを防止するため、図１１（ａ）に表示シート２０Ｌ，２０Ｒ同士を重ねて相違する部分の輪郭を想像線で示したように、各表示シート２０Ｌ，２０Ｒ同士の形状を非同一にすると共にそれに合わせてシート受部２１Ｌ，２１Ｒ同士の形状も非同一にして、シート受部２１Ｌ，２１Ｒと表示シート２０Ｌ，２０Ｒの組合せが誤っている場合に、表示シート２０Ｌ，２０Ｒが正しく収容されないようにしてある。これにより表示シート２０Ｌ，２０Ｒの入れ違いを防止することができる。そしてさらに、図１１（ｂ）に示したように、一方の表示シート２０に突片状の目印３３（切欠状でもよい。）を設けて、表示シート２０Ｌ，２０Ｒの入れ違いを挿入段階でも発見し得るようにしている。これにより、表示シート２０Ｌ，２０Ｒの入れ違いによる無駄な作業が防止できる。
【００２３】
［蓋部］
前記蓋部１９は、光の透過が可能な透光部３４を有するカバー部３５と、表示部本体１８の上面に整合する底部３６と、右辺装飾部１２の頂部前面に形成されたジョイント部３７に整合する後部３８と、を備えており、表示本体部２の上面と右辺装飾部１２のジョイント部３７とが交わるコーナー部分に底部３６と後部３８がフィットし、そのフィットした位置を閉じ位置として前記差込み口２３，２３を塞ぐ。
蓋部１９は、摺動手段によって表示部本体１８の上面に対して摺動可能に支持される一方、ロック手段３９によって前記閉じ位置にロックされ、さらに回転手段によって略垂直方向に回動して表示部本体１８の前面に保持される。
【００２４】
［摺動手段］
前記摺動手段は、図４Ａ、図４Ｂ、図４Ｃ、図５に示したように、前記光拡散板２４の上部に連設して表示部本体１８の上方に突出させた摺動ガイド部４０と、その摺動ガイド部４０の両側面に形成した直線状のガイド溝４０ａと、蓋部１９の底部３６に形成された底開口４１と、該底開口４１の内壁に内向きに突設されていて前記ガイド溝４０ａに嵌って摺動し得る一対の摺動突片４２，４２と、で形成されており、この摺動手段により蓋部１９は、表示部本体１８の上面に載った状態で前記閉じ位置から真っ直ぐ摺動し得る。
なお、実施形態の表示部本体１８の上面は、前記のように遊技者側に向けて下る勾配の傾斜を有するため、非ロック状態に置かれた蓋部１９は、摺動手段による案内と自重により前記回転手段で回動する位置まで自動的に摺動し得る。
また、光拡散板２４に摺動ガイド部４０を連設することにより、表示部本体１８の後部や下部に配置した光源からでも蓋部１９内に光を導入することができる。
【００２５】
［ロック手段］
前記ロック手段３９は、前記右辺装飾部１２の頂部内に揺動可能に軸着された鉤部４３と、該鉤部４３を揺動させて蓋部１９を閉じ位置にロックするロック姿勢とそのロックを解除するアンロック姿勢とに切り替える切替部４４と、蓋部１９の後部３８に開設されたロック孔４５と、からなる。
なお、補助的なロック手段として、図４Ａの拡大図に示したように蓋部１９の前記底開口４１の前方側に、ガイド溝４０ａの端部を挟むクリップ片４６が設けられている。該クリップ片４６によっても蓋部１９は閉じ位置に止められるが、これは仮止め的なものであり、蓋部１９を軽くスライドさせるだけで簡単に外すことができる。
【００２６】
［ロック手段−鉤部］
ロック手段３９の前記鉤部４３は、図４Ａ、図４Ｂ、図４Ｃに示したように、ジョイント部３７に開設したスリット４７を通って閉じ位置にある蓋部１９のロック孔４５に係合し得る引掛片４８と、該引掛片４８の揺動中心部分から上向きに延設された連結アーム片４９と、鉤部４３をロック方向に付勢する巻きバネ５０と、からなる。
【００２７】
［ロック手段−切替部］
ロック手段３９の前記切替部４４は、右辺装飾部１２の頂部内に前後方向に摺動可能に支持された角軸状のスライダーであり、その前端に前記鉤部４３の連結アーム片４９の上端が回動自在に軸着され、一方、後端にボタン部４４Ｐが形成されていて指先で押し引き操作が行えるようになっている。
該切替部４４は、図４Ｃの想像線のように、後端のボタン部４４Ｐを前面部３の後面に引き出すと前記鉤部４３がアンロック姿勢に回動し（このときの切替部４４の位置を「アンロック位置」という。）、また、同図実線のように、ボタン部４４Ｐを前面部３の前面側に押し込むと前記鉤部４３がロック姿勢に回動する（このときの切替部４４の位置を「ロック位置」という。）。
【００２８】
切替部４４には、その上面前方側に、門型板バネ状の弾性部５１に山型の突部５２を設けてなる軽挙防止抵抗体５３が一体に樹脂成形されており、切替部４４が前記ロック位置からアンロック位置に、或はアンロック位置からロック位置に移動するとき、該軽挙防止抵抗体５３の突部５２が衝突する位置に固定的な障害ゲート５４が設けられている。
したがって、切替部４４は、後端のボタン部４４Ｐに外力を加えて軽挙防止抵抗体５３の突部５２が弾性部５１の弾性に抗して障害ゲート５４の下を潜らない限り位置が変わらない。つまり、切替部４４は、強制的に位置変更の外力を加えない限り、現状の位置（状態）を維持するようになっており、逆に切替部４４に強制的な外力を加えることで現状の位置（状態）を切り替えることができる。なお、切替部４４は、強制的な外力を加える前提として錠装置１７で施錠されている前面部３を開く必要があるため、悪戯或は不正目的等で安易に蓋部１９が開かれるおそれがない。
【００２９】
［回転手段］
前記回転手段は、表示部本体１８の差込み口２３の遊技者側のほぼ端部領域に回転中心５５を設定して該回転中心５５に対して前記蓋部１９を垂直方向に回動させるものである。具体的には蓋部１９の回転中心５５は、図４Ａ、図４Ｂに示したように、光拡散板２４の上部側面であって前記ガイド溝４０ａの下に並設された軸ガイド５６の遊技者側の端部に設定されている。そして、この軸ガイド５６に蓋部１９の回動軸５７が嵌って蓋部１９と一体に摺動し、最終的に蓋部１９の回動軸５７が軸ガイド５６の端部で止まって図４Ａ、図４Ｂ二点鎖線のように垂直方向に回動し、かつその姿勢のままぶら下がり状態で保持される。
なお、実施形態の蓋部１９の回動軸５７は、図６の斜視図に示したように、蓋部１９の内部に揺動自在に軸着された二股状のリンク５８に設けられており、これにより蓋部１９の摺動から回転に至る一連の動きが多関節的で滑らかに進行し得る。また、回動軸５７は、二股状のリンク５８の先端内面に突き合わせ状に突設され且つ互いが近接し合う方向に付勢された一対の凸部５７ａ，５７ａで構成されるようになっており、したがってリンク５８の二股部分を付勢に抗して拡開させて凸部５７ａ，５７ａ同士の間隔を広げることにより軸ガイド５６に対して簡単に着脱することができる。つまり、表示部本体１８に対して蓋部１９を自由に着脱することができる。
【００３０】
実施形態のパチンコ機Ｐは、以上のように構成されているため、通常時には表示部４の各シート受部２１Ｌ，２１Ｒに表示シート２０Ｌ，２０Ｒがセットされ且つ蓋部１９が閉じ位置にあってロック手段３９でロックされている。
そして、営業時には、左辺装飾部１０と上辺装飾部１１と右辺装飾部１２が内蔵された照明によって適宜装飾され、また、右辺装飾部１２の表示部４に対応する発光手段２９も点灯されて表示シート２０Ｌ，２０Ｒも明るく照らされている。
また、実施形態では、光拡散板２４に連設された摺動ガイド部４０が前記摺動手段の一要素として蓋部１９内にあるため、発光手段２９の光が蓋部１９内にも導入される。したがって、蓋部１９に照明用の配線を施さずともカバー部３５の透光部３４をも明るく光らせることができる。
【００３１】
さらに実施形態のパチンコ機Ｐは、表示部４の上縁を遊技者側に向けて下る勾配に傾斜させ、そうして前記上辺装飾部１１と表示部４の交差角部に通気用の空間が形成されるようにしたため、パチンコ機Ｐの前面に空気が滞留し難くなる。したがって、例えば煙草の煙がパチンコ機Ｐの前面に滞留するおそれがなく、また、熱気もこもりにくい。
【００３２】
［表示シートの交換作業］
しかして、パチンコ機Ｐの遊技内容を変更する等の理由により、旧表示シート２０Ｌ，２０Ｒを遊技内容に対応した新しい表示シート２０Ｌ，２０Ｒに変更する場合は、先ず錠装置１７を解錠して図８のように前面部３を開き、該前面部３の後面側から切替部４４のボタン部４４Ｐを引っ張る。そうするとその力で軽挙防止抵抗体５３の突部５２が弾性部５１の弾性に抗して障害ゲート５４の下を潜るため、切替部４４が図４Ｃ二点鎖線のアンロック位置に移動する。これにより連結アーム片４９の上端が引っ張られて鉤部４３が揺動し、同図二点鎖線のようにアンロック姿勢に切り替わる。
【００３３】
これにより鉤部４３が蓋部１９のロック孔４５の縁から外れるためロック手段３９による蓋部１９のロックが解除される。なお、このとき鉤部４３には、巻きバネ５０の付勢によってロック姿勢に戻ろうとする力が作用するが、切替部４４の軽挙防止抵抗体５３の抵抗によりアンロック姿勢が維持される。
【００３４】
一方、蓋部１９は、ロック手段３９によるロックが解除されても前記ように補助的なロック手段たる蓋部１９のクリップ片４６によって閉じ位置に止められているため、蓋部１９を軽くスライドさせてクリップ片４６をガイド溝４０ａから外せば、後は前記摺動手段の作用と蓋部１９の自重と表示部本体１８の上面の傾斜によって、蓋部１９が表示部本体１８の遊技者側の端まで自動的に摺動する。もちろん蓋部１９をそのまま手で摺動させても構わない。
【００３５】
次に蓋部１９が摺動し、同時に回転手段の回動軸５７が軸ガイド５６内を摺動してその端に到達すると、その位置を回転中心５５にして蓋部１９が図４Ａ二点鎖線、図４Ｂ二点鎖線、図７、図８のように垂直方向に回動して保持される。
これにより表示部本体１８の差込み口２３，２３が完全に開くため、旧表示シート２０Ｌ，２０Ｒを抜き出して新しい表示シート２０Ｌ，２０Ｒに交換する。
なお、実施形態では、光拡散板２４に連設された摺動ガイド部４０により発光手段２９の光が蓋部１９内に導入されるようになっていて、蓋部１９と表示部本体１８を照明用の配線でつなぐ必要がないため、蓋部１９の上記動作並びに前記した二股状のリンク５８による蓋部１９の着脱が配線類で阻害されるおそれがない。
【００３６】
ここまでの説明で明らかなように実施形態の蓋部１９は、摺動開始から回動して保持されるまで上方への嵩ばりが殆どない。したがって島設備の幕板前面のデータ表示体との干渉を考慮する必要がないため、前面部３の開き具合を極力小さくして表示シート２０Ｌ，２０Ｒの交換作業に要する体力を少なく抑制することができる。また、図７のように差込み口２３，２３を開いて保持されている状態の蓋部１９が、表示シート２０Ｌ，２０Ｒを出し入れする方向になく差込み口２３，２３とほぼ同レベルの位置にあることで殆ど邪魔にならないため、表示シート２０Ｌ，２０Ｒの出し入れが効率よく行える。
【００３７】
次に、上記手順を逆に実行して蓋部１９を閉じ位置に戻し、切替部４４のボタン部４４Ｐを押し込んでロック手段３９で蓋部１９をロックし、そのまま前面部３を閉じれば表示シート２０Ｌ，２０Ｒの交換作業が完了する。
なお、切替部４４のボタン部４４Ｐの操作は、前面部３を本体部２の前面に重ねたとき、その本体部２の前面で押し込まれるように設定しておけば、あえて手でボタン部４４Ｐを押し込む必要はない。また、かかる設定にすることで、ロック手段３９による蓋部１９のロックを失念する過誤が防止できるため、蓋部１９を外した部分から機内への侵入を図ろうとする不正行為に対しても有効な対策になり得る。
【００３８】
ところでロック手段３９の操作が正常でも、蓋部１９の閉じ位置へのセットが不十分であった場合にはロックが正しく行われないおそれがある。そのような事態を回避するため、好ましくは蓋部１９の閉じ位置へのセットが正常であることを検知するセンサーを設け、もしセットが不十分であった場合には、前面部３を閉じた時、アラームを鳴らすなどの報知手段を設けておくとよい。
【００３９】
以上、本発明を実施の形態について説明したが、もちろん本発明は上記実施形態に限定されるものではない。例えば実施形態では、表示部本体１８の上面に傾斜を設けて自重によって蓋部１９を開位置方向に付勢するようにしたが、表示部本体１８の上面を水平にした場合でも、手動によって蓋部１９を摺動させたり、或は、バネなどの弾性で蓋部１９を開位置方向に付勢するようにしてもよい。もっとも実施形態のように傾斜による重力を利用する構造が最もシンプルで低コストであり且つ故障のおそれも少ない点で有用性がある。
【００４０】
また、実施形態では、前面部３を一枚構造にしたが、上の球皿１３と窓部９の間で上下に分割して形成してもよい。
また、実施形態では遊技機としてパチンコ機Ｐを例示したが、スロットマシンであっても適用可能である。
【符号の説明】
【００４１】
Ｐ  …パチンコ機（遊技機）
１  …外枠
３  …前面部
４  …表示部
１８  …表示部本体
１９  …蓋部
２０Ｌ，２０Ｒ  …表示シート
２１Ｌ，２１Ｒ  …シート受部
２３，２３  …差込み口
２９  …発光手段
３５  …カバー部
３６  …底部
４０  …摺動ガイド部
４１  …底開口
【図１】
0006362169.tif 000002
【図２】
0006362169.tif 000003
【図３】
0006362169.tif 000004
【図４Ａ】
0006362169.tif 000005
【図４Ｂ】
0006362169.tif 000006
【図４Ｃ】
0006362169.tif 000007
【図５】
0006362169.tif 000008
【図６】
0006362169.tif 000009
【図７】
0006362169.tif 000010
【図８】
0006362169.tif 000011
【図９】
0006362169.tif 000012
【図１０】
0006362169.tif 000013
【図１１】
0006362169.tif 000014
【図１２】
0006362169.tif 000015